(57)【特許請求の範囲】
【請求項１】
複数のページにコンテンツを掲載した電子書籍を表示可能な表示装置であって、
前記ページを所定の拡大率で拡大して表示することにより前記コンテンツの一部が視認可能である場合に、ユーザが表示中のページをめくる操作を行ったとき、当該めくる操作にしたがって表示すべきページの全体を表示する縮小手段と、
前記縮小手段によって表示すべきページの全体が表示された後、前記表示すべきページの所定の部分を前記拡大率で拡大する拡大手段とを備え、
前記拡大手段は、所定の原点を中心にして前記所定の部分を拡大し、
前記所定の原点は、拡大中に表示座標が変化しないことを特徴とする表示装置。
【請求項２】
前記縮小手段は、ユーザが前記ページをめくる操作を行ったとき、当該めくる操作によって表示すべきページの全体を表示する前に、ユーザが当該めくる操作を行った前記表示中のページの全体を表示することが可能であることを特徴とする請求項１に記載の表示装置。
【請求項３】
前記めくる操作を行った前記表示中のページの全体を、前記縮小手段が表示するか否かを切り替える切替手段をさらに備えたことを特徴とする請求項２に記載の表示装置。
【請求項４】
前記切替手段は、ユーザが前記めくる操作を行った表示中のページの表示態様に基づいて、前記めくる操作を行った表示中のページの全体を前記縮小手段が表示するか否かを切り替えることを特徴とする請求項３に記載の表示装置。
【請求項５】
前記縮小手段は、前記表示中のページの横幅と前記表示装置の表示部の横幅とを一致させて表示する態様を、前記表示態様として少なくとも表示可能であり、
前記切替手段は、ユーザが前記めくる操作を行った表示中のページが当該表示態様で表示されている場合、前記表示中のページの全体を前記縮小手段が表示しないように切り替えることを特徴とする請求項４に記載の表示装置。
【請求項６】
前記縮小手段は、ユーザが前記ページをめくる操作を行ったとき、当該めくる操作によって前記表示すべきページの全体を表示する前に、当該めくる操作に連動する視覚的なエフェクトを表示することを特徴とする請求項１から５のいずれか１項に記載の表示装置。
【請求項７】
前記縮小手段は、前記ページの横幅と前記表示装置の表示部の横幅とを一致させて表示する態様を、当該ページの表示態様として少なくとも表示可能であり、
前記拡大手段は、前記縮小手段が前記ページの表示態様を変更した場合、前記拡大率を初期化することを特徴とする請求項１から６のいずれか１項に記載の表示装置。
【請求項８】
前記拡大手段は、前記表示すべきページを拡大したときに表示部の左右端または上下端に等幅の余白が生まれる場合、前記拡大の原点を前記表示部の中央とすることを特徴とする請求項１から７のいずれか１項に記載の表示装置。
【請求項９】
複数のページにコンテンツを掲載した電子書籍を表示可能な表示装置の制御方法であって、
前記ページを所定の拡大率で拡大して表示することにより前記コンテンツの一部が視認可能である場合に、ユーザが表示中のページをめくる操作を行ったとき、当該めくる操作にしたがって表示すべきページの全体を表示する縮小ステップと、
前記縮小ステップにおいて表示すべきページの全体が表示された後、前記表示すべきページの所定の部分を、所定の原点を中心にして、前記拡大率で拡大する拡大ステップとを含み、
前記所定の原点は、拡大中に表示座標が変化しないことを特徴とする表示装置の制御方法。
【請求項１０】
コンピュータを、請求項１から８のいずれか１項に記載の表示装置の前記各手段として機能させるための制御プログラム。
【請求項１１】
請求項１０に記載の制御プログラムを記録したコンピュータ読み取り可能な記録媒体。
【発明の詳細な説明】
【技術分野】
【０００１】
本発明は、複数のページにコンテンツを掲載した電子書籍を表示可能な表示装置等に関するものである。
【背景技術】
【０００２】
所定の形式にしたがう電子データとして与えられる書籍（以下「電子書籍」と称する）を、当該電子データを表示可能な電子機器で閲覧する形態が広まっている。（１）紙に印刷された従来の書籍とは異なり、電子書籍は物理的な場所を占有せず、経年による劣化もしないという大きな利点を有すること、（２）上記電子機器の性能が向上し、低価格化が進んだこと、および（３）コンピュータネットワーク技術の進歩に伴って流通のしくみが変化したことなどが、急速な普及の背景として考えられる。
【０００３】
上記形態の広がりとともに、上記電子機器の性能を改善する重要性は、さらに増している。特に情報科学の分野においては、ソフトウェア的にユーザの利便性を向上させる試みが広く行われている。例えば、下記の特許文献１には、端末にストーリー性のある画像コンテンツを表示する方法が開示されている。当該方法によれば、当該コンテンツの大きさに合わせて表示倍率を変更しながら、当該ストーリーに沿った順番に画像を表示できる。
【先行技術文献】
【特許文献】
【０００４】
【特許文献１】特開２００７−１６４５５０号公報（２００７年６月２８日公開）
【発明の概要】
【発明が解決しようとする課題】
【０００５】
上記電子機器においては、ユーザが電子書籍の任意のページを所定の拡大率で拡大して表示させる場合がある。当該電子機器が備える表示部の解像度が不十分であったり、文章を読むには文字が小さすぎたりする場合があるからである。
【０００６】
上記先行文献１に記載された端末に代表される従来の電子機器では、この場合にユーザがページをめくると拡大表示が初期化されていた。そのため、ユーザはページをめくるごとに、着目したい所定の部分を拡大させる操作を再度行う必要があった。例えば、電子書籍で文章を読む場合などには、ユーザは同じ大きさのフォントを同じ大きさで拡大させたまま読みたいと考えることが多い。したがって、ユーザがページをめくるごとに拡大させる操作を行う必要があるのは、あまりにも操作が煩雑である。
【０００７】
また、上記先行文献１に記載された端末のように、電子機器が表示倍率を変更させながら拡大表示する位置を変化させると、ユーザはページのどこを拡大表示しているかが分かりづらいという問題が発生する。すなわち、当該ページが自動的に拡大して表示されていることや、当該ページ全体と拡大された部分との関係などを、ユーザは把握しづらい。
【０００８】
本発明は、上記の問題点に鑑みてなされたものであり、その目的は、拡大表示に伴う操作の手間を省き、ユーザの利便性を向上させることのできる表示装置、表示装置の制御方法、制御プログラム、および記録媒体を提供することである。
【課題を解決するための手段】
【０００９】
上記の課題を解決するために、本発明の表示装置は、
（１）複数のページにコンテンツを掲載した電子書籍を表示可能な表示装置であって、
（２）前記ページを所定の拡大率で拡大して表示することにより前記コンテンツの一部が視認可能である場合に、ユーザが表示中のページをめくる操作を行ったとき、当該めくる操作にしたがって表示すべきページの全体を表示する縮小手段と、
（３）前記縮小手段によって表示すべきページの全体が表示された後、前記表示すべきページの所定の部分を前記拡大率で拡大する拡大手段とを備えたことを特徴としている。
【００１０】
また、上記の課題を解決するために、本発明の表示装置の制御方法は、
（１）複数のページにコンテンツを掲載した電子書籍を表示可能な表示装置の制御方法であって、
（２）前記ページを所定の拡大率で拡大して表示することにより前記コンテンツの一部が視認可能である場合に、ユーザが表示中のページをめくる操作を行ったとき、当該めくる操作にしたがって表示すべきページの全体を表示する縮小ステップと、
（３）前記縮小ステップにおいて表示すべきページの全体が表示された後、前記表示すべきページの所定の部分を前記拡大率で拡大する拡大ステップとを含むことを特徴としている。
【００１１】
ユーザが電子書籍の任意のページを所定の拡大率で拡大して表示させていることで、当該ページに掲載されているコンテンツの一部分が、上記表示装置に備えた表示画面の全面に表示されている場合を考える。
【００１２】
前述したように、従来の表示装置においては、上記の場合にユーザが当該ページをめくる操作を行うと、拡大表示が初期化されていた。そのため、ユーザはページをめくるごとに、着目したい所定の部分を拡大させる操作を行っていた。
【００１３】
これに対して、本発明の表示装置および当該表示装置の制御方法は、上記の場合にユーザが当該ページをめくる操作を行うと、当該めくる操作にしたがって表示すべきページ（次に表示するページ）の所定の部分を上記拡大率で拡大して表示する。これにより、本発明の表示装置等は、ページをめくるごとに上記所定の部分を拡大させる操作を、ユーザに省略させることができる。
【００１４】
ここで、本発明の表示装置および当該表示装置の制御方法は、上記所定の部分を拡大表示する前に、一度次に表示するページの全体を表示することに注意する。これにより、当該ページが自動的に拡大して表示されていること、および当該ページ全体と拡大部分との関係（例えば、拡大部分の次ページにおける位置や、拡大部分の次ページに対する大きさなど）を、ユーザに明確に把握させることができる。
【００１５】
したがって、本発明の表示装置および当該表示装置の制御方法は、ユーザの利便性を向上させることができる。
【００１６】
また、本発明の表示装置では、
（１）前記縮小手段は、ユーザが前記ページをめくる操作を行ったとき、当該めくる操作によって表示すべきページの全体を表示する前に、ユーザが当該めくる操作を行った表示中のページの全体を表示することが可能であることを特徴としている。
【００１７】
上記の構成によれば、本発明の表示装置は、ユーザがページをめくる操作を行うと、当該ページ（ユーザが閲覧していたページ）の全体を表示した後、当該めくる操作によって表示すべきページ（次に表示するページ）の全体を表示できる。
【００１８】
これにより、ユーザが閲覧していたページが拡大して表示されていたことをユーザに把握させることができるため、次に表示するページも拡大して表示されることを、ユーザにより明確に把握させることができる。したがって、本発明の表示装置は、ユーザの利便性をさらに向上させることができる。
【００１９】
また、本発明の表示装置は、
（１）前記めくる操作を行った前記表示中のページの全体を、前記縮小手段が表示するか否かを切り替える切替手段をさらに備えたことを特徴としている。
【００２０】
上記の構成によれば、本発明の表示装置は、次に表示するページの全体を表示する前に、ユーザが閲覧していたページの全体を表示するか否かを切り替えることができる。例えば、ユーザが電子書籍を閲覧する態様や条件等に基づいて切り替えることができる。したがって、本発明の表示装置は、ユーザの利便性をさらに向上させることができる。
【００２１】
また、本発明の表示装置では、
（１）前記切替手段は、ユーザが前記めくる操作を行った表示中のページの表示態様に基づいて、前記めくる操作を行った表示中のページの全体を前記縮小手段が表示するか否かを切り替えることを特徴としている。
【００２２】
上記の構成によれば、本発明の表示装置は、ユーザがめくる操作を行ったページの表示態様に基づいて、当該ページの全体を表示するか否かを切り替えることができる。したがって、本発明の表示装置は、ユーザが上記表示装置を使用する態様に適した動作を行うことができるため、ユーザの利便性をさらに向上させることができる。
【００２３】
また、本発明の表示装置では、
（１）前記縮小手段は、前記表示中のページの横幅と前記表示装置の表示部の横幅とを一致させて表示する態様を、前記表示態様として少なくとも表示可能であり、
（２）前記切替手段は、ユーザが前記めくる操作を行った表示中のページが当該表示態様で表示されている場合、前記表示中のページの全体を前記縮小手段が表示しないように切り替えることを特徴としている。
【００２４】
上記の構成によれば、本発明の表示装置は、ユーザがめくる操作を行ったページが、当該ページの横幅と当該表示装置の表示部の横幅とが一致するように表示されている場合、当該ページの全体を表示しないように切り替える。したがって、本発明の表示装置は、ユーザが上記表示装置を使用する態様に適した動作を行うことができるため、ユーザの利便性をさらに向上させることができる。
【００２５】
また、本発明の表示装置では、
（１）前記縮小手段は、ユーザが前記ページをめくる操作を行ったとき、当該めくる操作によって前記表示すべきページの全体を表示する前に、当該めくる操作に連動する視覚的なエフェクトを表示することを特徴としている。
【００２６】
上記の構成によれば、本発明の表示装置は、上記めくる操作に連動する視覚的なエフェクトを表示した後に、当該めくる操作によって表示すべきページの全体を表示する。これにより、ユーザは、あたかも紙に印刷された従来の書籍を手元に置いてページをめくっているかのような感覚を得ることができる。したがって、本発明の表示装置は、ユーザの利便性をさらに向上させることができる。
【００２７】
また、本発明の表示装置では、
（１）前記拡大手段は、所定の原点を中心にして前記所定の部分を拡大することを特徴としている。
【００２８】
上記の構成によれば、本発明の表示装置は、あらかじめ設定された原点または所定の計算によって計算された原点を中心にして、上記所定の部分を拡大できる。ここで、上記「原点」とは、拡大中に表示座標が変化しない点をいう。上記原点は、例えば電子書籍の綴じ方向（右開きか左開きか）とユーザによるページをめくる操作の方向とに基づいて、決定または計算できる。
【００２９】
これにより、ユーザの閲覧態様にあわせて、柔軟に拡大表示の方法を変化させることができる。したがって、本発明の表示装置は、ユーザの利便性をさらに向上させることができる。
【００３０】
また、本発明の表示装置では、
（１）前記縮小手段は、前記ページの横幅と前記表示装置の表示部の横幅とを一致させて表示する態様を、当該ページの表示態様として少なくとも表示可能であり、
（２）前記拡大手段は、前記縮小手段が前記ページの表示態様を変更した場合、前記拡大率を初期化することを特徴としている。
【００３１】
上記の構成によれば、ユーザが閲覧していたページの横幅と当該表示装置の表示部の横幅とが一致するような態様で、当該ページが表示されている場合、ユーザが当該態様から異なる態様へページの表示を変更すると、本発明の表示装置は上記拡大率を初期化する。
【００３２】
これにより、本発明の表示装置は、表示態様が切り替わったことで拡大率に不整合が生じることを防止できる。したがって、本発明の表示装置は、ユーザの利便性をさらに向上させることができる。
【００３３】
また、本発明の表示装置では、
（１）前記拡大手段は、前記表示すべきページを拡大したときに表示部の左右端または上下端に等幅の余白が生まれる場合、前記拡大の原点を前記表示部の中央とすることを特徴としている。
【００３４】
上記の構成によれば、本発明の表示装置は、次に表示するページを拡大したときに表示部の左右端または上下端に等幅の余白が生まれる場合は、表示部の中央を原点にして当該ページを拡大できる。ユーザがめくる操作を行ったことにより、表示装置が次に表示するページを拡大させる場合に、当該ページを拡大させても左右端に等幅の余白が生まれるとき（このとき、拡大前にも左右端に等幅の余白が存在する）、例えば表示部の左上を原点として拡大すると、拡大の前後の表示を補間するエフェクトの表示位置が一致しない。
【００３５】
上記の構成とすることで、本発明の表示装置は、拡大の前後でエフェクトを伴う表示の位置を一致させることができるため、ユーザの利便性をさらに向上させることができる。
【００３６】
なお、前記表示装置はコンピュータによって実現してもよい。この場合には、コンピュータを前記表示装置の各手段として動作させることにより、前記表示装置をコンピュータで実現させる制御プログラム、およびこれを記録したコンピュータ読み取り可能な記録媒体も本発明の範疇に入る。
【発明の効果】
【００３７】
以上のように、本発明の表示装置は、ページを所定の拡大率で拡大して表示することによりコンテンツの一部が視認可能である場合に、ユーザが表示中のページをめくる操作を行ったとき、当該めくる操作にしたがって表示すべきページの全体を表示する縮小手段と、前記縮小手段によって表示すべきページの全体が表示された後、前記表示すべきページの所定の部分を前記拡大率で拡大する拡大手段とを備えた構成である。
【００３８】
また、本発明の表示装置の制御方法は、ページを所定の拡大率で拡大して表示することによりコンテンツの一部が視認可能である場合に、ユーザが表示中のページをめくる操作を行ったとき、当該めくる操作にしたがって表示すべきページの全体を表示する縮小ステップと、前記縮小ステップにおいて表示すべきページの全体が表示された後、前記表示すべきページの所定の部分を前記拡大率で拡大する拡大ステップとを含む構成である。
【００３９】
したがって、本発明の表示装置および当該表示装置の制御方法は、電子書籍のページをめくるごとに所定の部分を拡大させる操作を、ユーザに省略させることができるという効果を奏する。また、上記所定の部分を拡大表示する前に、一度上記ページの全体を表示するため、当該ページが自動的に拡大して表示されていること、および当該ページ全体と拡大部分との関係を、ユーザに明確に把握させることができるという効果を奏する。
【図面の簡単な説明】
【００４０】
【図１】本発明の一実施形態に係る表示装置の一部構成を示すブロック図である。
【図２】上記表示装置の基本動作を表した模式図である。
【図３】上記表示装置の異なる基本動作を表した模式図である。
【図４】上記表示装置のさらに異なる基本動作を表した模式図である。
【図５】上記表示装置が次ページを拡大させる場合の原点のとりかたを表した模式図であり、（ａ）は次ページがフィット時上下余白状態で表示される場合の拡大原点の位置、（ｂ）は次ページがフィット時左右余白状態で表示される場合の拡大原点の位置を示す。
【図６】所定の拡大率で拡大させたページの横幅が表示部の横幅よりも小さいことにより、当該ページを表示中に表示部の左右端に等幅の余白が生まれる場合、当該余白の幅に応じて、表示部の中央を原点にして拡大することを表す模式図である。
【図７】ユーザが入力面をダブルタップすると拡大率が３段階で変化する様子を表すであり、（ａ）は拡大率１００％でページが表示されている状態を表し、（ｂ）は拡大率２００％でページが表示されている状態を表し、（ｃ）は拡大率４００％でページが表示されている状態を表す。
【図８】上記表示装置が実行する処理の一例を示すフローチャートである。
【発明を実施するための形態】
【００４１】
以下、本発明の実施の形態について、図１〜図８に基づいて詳細に説明する。
【００４２】
〔表示装置１００の概要〕
図１に基づいて、本実施の形態に係る表示装置１００の構成について説明する。図１は、表示装置１００の一部構成を示すブロック図である。
【００４３】
表示装置１００は、複数のページにコンテンツを掲載した電子書籍を表示可能な装置である。具体的には、電子書籍リーダ、タブレット端末、携帯電話、スマートフォン、その他タッチパネルを備えた表示画面を有する装置を想定している。また、電子書籍とは、文章、画像、動画、音楽、音声、図形、その他コンテンツを含む電子データをいう。
【００４４】
図２および図３に基づいて、表示装置１００の動作の概要について説明する。図２は、表示装置１００の基本動作を表した模式図である。同図の（ａ）は、ユーザが表示装置１００の長手方向を略垂直にして把持した場合（以下「縦持ち時」と称する）に、閲覧中のページ（表示中のページ、めくる操作を行ったページ）の縦幅と表示部７０の縦幅とが一致するように、当該ページに含まれるコンテンツを縮小または拡大して表示させている様子を表す。
【００４５】
また、同図の（ｂ）は、当該ページを拡大率８で拡大して表示している様子を表し、（ｃ）は、ユーザがページをめくる操作（以下「めくり操作１」と称する）を行うと、当該ページの全体が表示される様子を表す。さらに、同図の（ｄ）は、めくり操作１に連動して「めくりエフェクト」（視覚的なエフェクト）が表示される様子を表し、（ｅ）は、めくり操作１にしたがって表示すべきページ（以下「次ページ」と称する）の全体が表示される様子を表し、（ｆ）は、次ページの全体が表示された後、次ページの所定の部分が拡大率８で拡大されて表示される様子を表す。
【００４６】
ここで、図２の（ａ）では、ページの横幅と表示部７０の横幅とが一致するように、表示装置１００が当該ページに含まれるコンテンツを縮小または拡大して表示させた場合、上下に余白が生じている。この状態を「フィット時上下余白状態」と称する。同様に、ページの縦幅と表示部７０の縦幅とが一致するように、表示装置１００が当該ページに含まれるコンテンツを縮小または拡大して表示させた場合、左右に余白が生じる状態を「フィット時左右余白状態」と称する。一方で、余白が生じない状態を「フィット時完全一致状態」と称する。
【００４７】
なお、上記それぞれの状態では、当該ページが表示部７０に収まり、かつ、最も大きいサイズで表示されるように、当該ページを拡大または縮小する。このとき、拡大率８は１．０（フィット状態）となる。
【００４８】
また、表示部７０のアスペクト比および表示装置１００が表示するページのアスペクト比に基づいて、上記の３状態のいずれかが決定される。具体的には、表示部７０の幅をＤｗ、高さをＤｈ、当該ページの幅をＩｗ、高さをＩｈとした場合、
（Ａ）Ｄｈ／Ｄｗ＜Ｉｈ／Ｉｗのとき、フィット時左右余白状態
（Ｂ）Ｄｈ／Ｄｗ＝Ｉｈ／Ｉｗのとき、フィット時完全一致状態
（Ｃ）Ｄｈ／Ｄｗ＞Ｉｈ／Ｉｗのとき、フィット時上下余白状態
となる。図２の（ａ）は上記（Ｃ）となる一例を示しているが、表示部７０のアスペクト比と当該ページのアスペクト比によっては、他の状態（上記（Ａ）または（Ｂ））になり得る。
【００４９】
図３は、表示装置１００の異なる基本動作を表した模式図である。同図の（ａ）は、ユーザが表示装置１００の長手方向を略水平にして把持した場合であって、後述する「横フィット設定」がオフである場合（以下「見開き時」と称する）に、表示部７０で横方向に並べた少なくとも２つのページの全体を表示可能なように、当該ページに含まれるコンテンツを縮小または拡大して表示させている様子を表す。なお、以下では、見開き状態で表示された少なくとも２つのページ全体を、単に「ページ」と称することもある。
【００５０】
また、同図の（ｂ）は、当該ページを拡大率８で拡大して表示している様子を表し、（ｃ）は、ユーザがめくり操作１を行うと、当該ページの全体が表示される様子を表す。さらに、同図の（ｄ）は、めくり操作１に連動して「めくりエフェクト」が表示される様子を表し、（ｅ）は、めくり操作１にしたがって次ページの全体が表示される様子を表し、（ｆ）は、次ページの全体が表示された後、次ページの所定の部分が拡大率８で拡大されて表示される様子を表す。
【００５１】
なお、図２および図３の（ｂ）は、（ａ）および（ｃ）に含まれる点線の矩形部分（ページの所定の部分）を、表示部７０の表示領域いっぱいに表示した様子を示す。また、図２および図３の（ｆ）は、（ｅ）に含まれる点線の矩形部分を、表示部７０の表示画面いっぱいに表示した様子を示す。ただし、当該点線の矩形および矩形の対応関係を示す矢印は、説明の便宜を図るために描き加えたものであり、表示装置１００はこれらを表示しないことに注意する。
【００５２】
また、図３の（ａ）は「フィット時左右余白状態」（上記（Ａ））となる一例を示しているが、表示部７０のアスペクト比と表示するページのアスペクト比によっては、他の状態（上記（Ｂ）または（Ｃ））になり得る。
【００５３】
以下、図２および図３（ｂ）に示すように、ユーザが閲覧中のページを拡大率８で拡大して表示させていることにより、当該ページに掲載されたコンテンツの一部が視認可能である場合を考える（図２および図３の（ａ）および（ｂ）を参照）。
【００５４】
この場合にユーザがめくり操作１を行うと（同図の（ｂ））、表示装置１００は、以下の３ステップで処理を進める。すなわち、表示装置１００は、
（１）閲覧中のページの全体を表示し（同図の（ｃ））、
（２）めくり操作１に連動して、当該ページの紙が実際にめくれるような「めくりエフェクト」を表示し（同図の（ｄ））、
（３）次ページの全体を表示し（同図の（ｅ）、縮小ステップ）、
（４）次ページの所定の部分を拡大率８で拡大して表示する（同図の（ｆ）、拡大ステップ）。
【００５５】
ここで、上記ステップ（４）において、表示装置１００は、拡大して表示させていた閲覧中のページにおける拡大率８と同じ拡大率８で、次ページの所定の部分を拡大表示することに注意する。すなわち、表示装置１００は、閲覧していたページにおける拡大率８を、次ページの表示においても適用する。
【００５６】
これにより、ユーザは、ページをめくるごとに拡大率を再設定する手間を省くことができる。なお、次ページを拡大する際には、拡大の前後の表示を補間するエフェクトを表示してもよい。また、ユーザが表示装置１００を把持する状態を変更したことによって、表示装置１００がページの表示態様を変更した場合、表示装置１００は拡大率８を初期化してもよい。
【００５７】
ただし、次ページの所定の部分を拡大表示する前に（上記ステップ（３）において）、表示装置１００は、一度次ページの全体を表示することに注意する。これにより、次ページが拡大して表示されていること、および次ページ全体と拡大部分との関係（例えば、拡大部分の次ページにおける位置や、拡大部分の次ページに対する大きさなど）を、ユーザは明確に把握できる。
【００５８】
図４に基づいて、表示装置１００の動作の概要についてさらに説明する。図４は、表示装置１００のさらに異なる基本動作を表した模式図である。同図の（ａ）は、ユーザが表示装置１００の長手方向を略水平にして把持した場合であって、後述する「横フィット設定」がオンである場合（以下「横持ち時」と称する）に、閲覧中のページの横幅と表示部７０の横幅とが一致するように、当該ページに含まれるコンテンツを縮小または拡大して表示（以下、この表示態様を「横フィット状態」と称する）させている様子を表す。この状態では、拡大率８は１．０（フィット状態）となる。
【００５９】
また、上記「横フィット設定」とは、横持ちと見開き持ちとを切り替えるための、表示装置１００に対する設定をいう。なお、横フィット設定のオン／オフを切り替えたことに伴い、拡大率８を初期化してもよい。
【００６０】
また、同図の（ｂ）は、当該ページを拡大率８で拡大して表示している様子を表し、（ｃ）は、めくり操作１に連動して「カードエフェクト」（視覚的なエフェクト）が表示される様子を表す。さらに、同図の（ｄ）は、めくり操作１にしたがって次ページの全体が表示される様子を表し、（ｅ）は、次ページの全体が表示された後、次ページの所定の部分が拡大率８で拡大されて表示される様子を表す。
【００６１】
図２および図３と図４とは、図４における動作では上記ステップ（１）が行われないこと、および上記ステップ（２）のエフェクトが異なる。すなわち、閲覧中のページが横フィット状態で表示されている場合にユーザがめくり操作１を行うと、当該ページの全体を表示することなく、当該ページと次ページとが水平にスライドして動くことにより、両ページが入れ替わって視認される「カードエフェクト」を伴って次ページが表示される。
【００６２】
図５に基づいて、表示装置１００の動作の概要についてさらに説明する。図５は、表示装置１００が次ページを拡大させる場合の原点のとりかたを表した模式図であり、（ａ）は次ページがフィット時上下余白状態で表示される場合の拡大原点の位置、（ｂ）は次ページがフィット時左右余白状態で表示される場合の拡大原点の位置を示す。
【００６３】
ここで、上記「原点」または「拡大原点」とは、拡大中に表示座標が変化しない点をいう。表示装置１００は、上記ステップ（４）において、所定の原点を中心にして次ページを拡大表示する。なお、「フィット時完全一致状態」において、表示装置１００は、図５（ａ）に示す左上（「×」印の位置）に原点をとる。
【００６４】
また、図５（ａ）および（ｂ）では原点を「×」で示しているが、説明の便宜を図るために描き加えたものであり、表示装置１００はこれらを表示しないことに注意する。点線の矩形および矢印も同様である。
【００６５】
図６に基づいて、表示装置１００の動作の概要についてさらに説明する。図６は、拡大率８で拡大させたページの横幅が表示部７０の横幅よりも小さいことにより、当該ページを表示中に表示部７０の左右端に等幅の余白が生まれる場合、当該余白の幅に応じて、表示部７０の中央を原点にして拡大することを表す模式図である。ここで、「表示部７０の中央」とは、表示部７０の横方向に対する略半分の位置であって、縦方向に対する任意の位置（例えば、ページの上端など）をいう。すなわち、表示部７０の左右端に生じた等幅の余白を埋めるように、ページを拡大して表示する。
【００６６】
表示部７０の中央を原点とするのは、拡大の前後でエフェクトを伴う表示位置を一致させるためである。すなわち、ユーザがめくり操作１を行ったことにより、表示装置１００が拡大率８で次ページを拡大させる場合に、当該ページを拡大させても左右端に等幅の余白が生まれるとき（このとき、拡大前にも左右端に等幅の余白が存在する）、例えば表示部７０の左上を原点として拡大すると、拡大の前後の表示を補間するエフェクトの表示位置が一致しない。上記の場合は、表示部７０の中央を原点とすることで、この不具合を回避することができる。
【００６７】
なお、ページを表示中に表示部７０の上下端に等幅の余白が生まれる場合、当該余白の幅に応じて、表示部７０の中央を原点にして拡大してもよい。この場合、「表示部７０の中央」とは、表示部７０の縦方向に対する略半分の位置であって、横方向に対する任意の位置（例えば、ページの左端など）をいう。すなわち、表示部７０の上下端に生じた等幅の余白を埋めるように、ページを拡大して表示する。
【００６８】
〔表示装置１００の構成〕
図１に基づいて、本実施の形態に係る表示装置１００の構成について説明する。表示装置１００は、入力部４０、入力制御部５０、制御部１１、表示制御部６０、および表示部７０を含む。
【００６９】
なお、本実施の形態に直接関係のない部分（例えば、インターネット接続や音声出力などを実現する部分）は、記載の簡潔性を担保する観点から、構成の説明およびブロック図から省略した。ただし、実施の実情に則して、本実施の形態に係る表示装置１００は当該省略した構成を含んでもよい。
【００７０】
以下、入力部４０、入力制御部５０、制御部１１（縮小部１５、拡大部１６）、表示制御部６０、表示部７０の順序で各構成が担う機能を説明する。
【００７１】
入力部４０は、ユーザによるめくり操作１、拡大操作２、および縮小操作３を受け付ける。本実施の形態では主にマルチタッチを検出可能なタッチパネルを想定している。ただし、入力部４０はユーザによる上記操作で情報の入力が可能な入力面を備えてさえいればよく、ハードウェアの種類は限定されない。入力部４０は、その入力面に接触したユーザの指やスタイラスなどの指示具の当該入力面上における２次元の座標情報６を、入力制御部５０に出力する。
【００７２】
入力制御部５０は、入力部４０の入力面に対するユーザからの上記操作に基づいて操作情報５を生成する。例えば、入力部４０から座標情報６を所定の時間間隔で取得し、その一連の座標データを解析してユーザが意図した操作を特定し、当該操作に対応する操作情報５を生成する。入力制御部５０は、生成した操作情報５を制御部１１へ出力する。
【００７３】
制御部１１は、表示装置１００の各種機能を統括的に制御するものである。制御部１１は、縮小部（縮小手段、切替手段）１５と拡大部（拡大手段）１６とを含む。制御部１１は、入力制御部５０から入力される操作情報５を検知し、縮小部１５または拡大部１６へ出力する。
【００７４】
縮小部１５は、ページを拡大率８で拡大して表示することにより当該ページに掲載されたコンテンツの一部が視認可能である場合に、ユーザがめくり操作１を行ったとき、次ページの全体を表示する。具体的には、縮小部１５は横持ち時であるか否かを判定し、横持ち時でないと判定される場合、縮小部１５は当該ページの全体に対応するコンテンツデータ４を、表示制御部６０に出力する。なお、縮小部１５は、フィット時左右余白状態、フィット時上下余白状態、フィット時完全一致状態、横フィット状態のうちのいずれか１つの表示態様でページを表示可能である。
【００７５】
また、縮小部１５は、ユーザがめくり操作１を行った場合、次ページの全体を表示する前に、めくり操作１に連動する視覚的なエフェクトを表示する。さらに、縮小部１５は、ユーザが閲覧していたページ（すなわち、ユーザがめくり操作１を行う前に表示していたページ）の拡大率８を、拡大部１６へ出力する。
【００７６】
なお、縮小部１５は、ユーザがめくり操作１を行ったとき、閲覧中のページに適用されていた拡大率８を後述する記憶装置に格納してもよい。また、ユーザが閲覧していたページを拡大した時点（図８を参照して後述するステップ３）に、当該拡大率を記憶装置に格納してもよい。
【００７７】
拡大部１６は、ユーザから与えられた操作情報５にしたがって、ページの所定の部分を拡大率８で拡大する。具体的には、拡大部１６は、操作情報５で指定される拡大率８と原点とに基づいて、ページの所定の部分に対応するコンテンツデータ４を表示制御部６０に出力する。
【００７８】
また、拡大部１６は、ユーザから拡大表示の操作が与えられなくとも、縮小部１５によって次ページの全体が表示されると、次ページの所定の部分を拡大率８で拡大する。このとき、拡大部１６は、操作情報５で指定される拡大率８（すなわち、拡大して表示させていた閲覧中のページにおける拡大率８と同じ拡大率８）と、所定の計算によって計算される原点とに基づいて、ページの所定の部分に対応するコンテンツデータ４を表示制御部６０に出力する。
【００７９】
なお、拡大部１６は、縮小部１５がページの表示態様を変更した場合、拡大率８を初期化してもよい。ここで、拡大率の初期化とは、拡大率を１．０倍（すなわち、拡大しない表示）に設定することをいう。
【００８０】
なお、拡大部１６は、ユーザが表示装置１００の把持状態を変更したことにより、縮小部１５がページの表示態様を変更した場合、拡大率８を初期化してもよい。ここで、拡大率の初期化とは、縦持ち時、見開き時、または横持ち時におけるフィット時左右余白状態、フィット時上下余白状態、フィット時完全一致状態、および横フィット状態の拡大率８を１．０倍（すなわち、拡大しない表示）に設定することをいう。
【００８１】
表示制御部６０は、ページを表示部７０に出力する。ここで、表示制御部６０は、制御部１１が出力する情報（例えばコンテンツデータ４）を、表示部７０で表示可能な形式にしたがう表示用データ７に変換できる。表示用データ７としては、例えばビットマップ（bitmap）形式の画像であってよいし、他の形式に従う画像、またはその他表示に適したデータ形式であってもよい。なお、表示制御部６０は、当該情報を表示用データ７へ形式変換できるものを含んでいればよく、例えば一般的なディスプレイアダプタを含む。
【００８２】
表示部７０は、映像等を表示する装置である。本実施の形態では主に液晶ディスプレイ（Liquid Crystal Display；ＬＣＤ）を想定しているが、表示機能を有する装置（特に、フラットパネルディスプレイ）でありさえすればハードウェアの種類は限定されない。例えば、プラズマディスプレイ（Plasma Display Panel；ＰＤＰ）やＥＬ（Electroluminescence）ディスプレイなどの表示素子と、表示制御部６０から入力を受けた表示用データ７に基づいて表示素子を駆動するドライバ回路とを備える装置等で構成できる。
【００８３】
図１では、各構成が有する機能を明示するために、入力部４０と表示部７０とを分離して示している。しかし、例えば入力部４０がタッチパネルであり、表示部７０が液晶ディスプレイである場合、両者は一体として構成されることが望ましい。すなわち、入力部４０は、矩形板状に形成されたガラス等の透明な透過部材からなるデータ入力面を含んで構成され、表示部７０が有するデータ表示面を覆うように一体的に形成されてよい。
【００８４】
また、図１には記載していないが、表示装置１００は電子書籍のデータ等を格納した記憶装置を備えていてよい。記憶装置は、例えばハードディスク、半導体メモリ、ＤＶＤ（Digital Versatile Disk）等の不揮発性の記憶機器で構成できる。なお、記憶装置は、表示装置１００に内蔵される装置であってもよいし、表示装置１００の外部に通信可能に接続された外部記憶装置であってもよい。
【００８５】
〔表示装置１００に対する操作〕
（可能な操作の一例）
ユーザが入力部４０の入力面に対して行う操作には、例えばピンチイン（入力面に当てた２本の指を押し広げる操作）、ピンチアウト（入力面に当てた２本の指を集める操作）、ドラッグまたはフリック（少なくとも１本の指を入力面に当てたまま任意の方向へ動かす操作）、シングルタップ（少なくとも１本の指で入力面を１回叩く操作）、ダブルタップ（少なくとも１本の指で入力面を２回叩く操作）が含まれる。
【００８６】
また、表示装置１００では、ピンチインが拡大操作２に対応し、ピンチアウトが縮小操作３に対応し、ドラッグまたはフリックがめくり操作１に対応する。ただし、この対応付けはあくまでも一例であり、これ以外の対応付けを行ってもよい。
【００８７】
なお、ユーザがピンチインによってページを拡大させるとき、表示装置１００は、ユーザが２本の指を揃えて入力面に最初に接触した２点の位置（すなわち、押し広げる操作を開始した位置）の中央を原点として、ページを拡大する。
【００８８】
（ダブルタップによる拡大率の切り替え）
図７に基づいて、表示装置１００に対する操作とそのときの表示装置１００の動作について説明する。図７は、ユーザが入力面をダブルタップすると拡大率が３段階で変化する様子を表すであり、（ａ）は拡大率１００％でページが表示されている状態を表し、（ｂ）は拡大率２００％でページが表示されている状態を表し、（ｃ）は拡大率４００％でページが表示されている状態を表す。すなわち、ユーザが入力面をダブルタップするたびに、上記図７（ａ）〜（ｃ）の状態がサイクリックに切り替わる。なお、上記の２００％、４００％の拡大率は一例であり、他の拡大率であってもよい。
【００８９】
（ドラッグまたはフリックによるめくり操作１の詳細）
表示部７０に表示されているページの一部が当該ページの端でない場合（例えば、ページ中央が拡大表示されており、表示部７０の左右端が当該ページの端でない場合）に、ユーザがドラッグまたはフリックを行うと、当該ページの表示部分が変化（移動）する。
【００９０】
一方、ページ端が表示部７０に表示されている場合に、そのページ端方向に進むようにユーザがドラッグまたはフリックを行うと、次ページが表示される。すなわち、上記したように、ページ端におけるドラッグまたはフリックはめくり操作１となる。
【００９１】
このとき、表示装置１００は、表示部７０の端で当該ページをバウンドしたように往復して表示させる「バウンドエフェクト」（視覚的なエフェクト）を表示させた後に、当該ページの全体を表示させる（現ページフィット表示）。そして、めくり操作１に連動して「めくりエフェクト」を表示させた後、次ページの全体を表示させて所定の部分を拡大率８で拡大する。
【００９２】
なお、めくり操作１は、表示装置１００に備えた所定のハードウェアキー（図１において図示せず）を押下することによっても行える。この場合、上記のバウンドエフェクトを表示させず、また当該ページにおいて表示部分を変更させることなく、即座に次ページを表示させてもよい。
【００９３】
また、上述したすべてのエフェクトは、ユーザによって任意に設定可能である。例えば、「めくりエフェクト」の表示の有無、「めくりエフェクト」においてページがめくれる速度、「カードエフェクト」におけるページ間の隙間などを、ユーザは設定できる。
【００９４】
（表示装置１００のその他の機能）
表示装置１００は、電子書籍に含まれるコンテンツ（例えば画像など）をサムネイル表示することができる。ユーザは、サムネイルにより一覧表示された電子書籍をタップし、所定のインターフェースから所望のページを選択することにより、当該ページを（横フィット設定にしたがって）フィット時左右余白状態、フィット時上下余白状態、フィット時完全一致状態、横フィット状態ですぐに表示させることができる。このとき、「ジャンプエフェクト」（サムネイル表示をフェードアウトさせ、当該ページをフェードインすることにより表示する視覚的なエフェクト）を伴って表示させることができる。また、サムネイルを表示しているときに、ユーザが所定のキー（例えばバックキー）を押下することにより、電子書籍に含まれる所定のコンテンツを表示させる場合、表示装置１００は以前に用いた拡大率８を適用（保持）してよい。
【００９５】
また、表示装置１００が各種の辞書データ（例えば、英和辞書、和英辞書、国語辞書など）を内蔵しており、電子辞書に含まれるテキストデータについて当該辞書データを検索することができる。例えば、ユーザが任意の単語（テキストデータ）について当該辞書データを検索し、表示装置１００が検索結果を表示させた場合、表示装置１００は拡大率８を保持したままにしてよい。ただし、例えばウェブサイトを検索した場合、次に当該電子書籍を表示した際は、拡大率８を初期化することもできる。
【００９６】
〔拡大原点の決定方法〕
上記したように、表示装置１００は、ユーザが閲覧中のページを拡大率８で拡大して表示させていることにより、当該ページに掲載されたコンテンツの一部が視認可能である場合に、ユーザがめくり操作１を行うと、所定の原点を中心にして次ページを拡大表示する。この原点は、例えば電子書籍の綴じ方向（右綴じか左綴じか）とユーザのめくり操作１の方向とに基づいて決定できる。
【００９７】
すなわち、電子書籍が左綴じの場合に、ユーザがページを左へめくったとき（当該電子書籍を読み進む方向へめくったとき）、画面左上にある原点を中心にして拡大表示できる。ここで、上記「画面左上」とは、表示部７０の表示領域を、垂直方向および水平方向に２分割することで４等分した場合の、左上に位置する領域における任意の点をいう。
【００９８】
または、電子書籍が左綴じの場合に、ユーザがページを右へめくったとき（当該電子書籍を戻る方向へめくったとき）、画面右上にある原点を中心にして拡大表示できる。ここで、上記「画面右上」とは、表示部７０の表示領域を、垂直方向および水平方向に２分割することで４等分した場合の、右上に位置する領域における任意の点をいう。
【００９９】
または、所定の計算によって計算される原点を中心にして拡大表示してもよい。この場合、例えば以下の式にしたがって原点の座標が計算される。
（画面左上隅を原点とする場合）
（ｉ）横フィット時以外
【０１００】
【数１】
0005815392.tif 000002
【０１０１】
（ｉｉ）横フィット時
【０１０２】
【数２】
0005815392.tif 000003
【０１０３】
（画面右上隅を原点とする場合）
（ｉ）横フィット時以外
【０１０４】
【数３】
0005815392.tif 000004
【０１０５】
（ｉｉ）横フィット時
【０１０６】
【数４】
0005815392.tif 000005
【０１０７】
（拡大後のページ幅が画面幅より小さい場合）
【０１０８】
【数５】
0005815392.tif 000006
【０１０９】
ここで、ZoomOrg.xは原点のx座標、ZoomOrg.yは原点のy座標、FitImage.leftは画面におけるフィット時の表示領域の左座標、FitImage.topは画面におけるフィット時の表示領域の上座標、FitImage.rightは画面におけるフィット時の表示領域の右座標、dispWidthは表示部の幅、およびrateは拡大率を表す。なお、rateが1の場合は拡大しない。
【０１１０】
〔表示装置１００が実行する処理〕
図８に基づいて、表示装置１００が実行する処理の流れを説明する。図８は、表示装置１００が実行する処理の一例を示すフローチャートである。なお、同図のフローチャートの開始時点においては、電子書籍の任意のページが所定の表示形態（フィット時左右余白状態、フィット時上下余白状態、フィット時完全一致状態、横フィット状態）で表示部７０に表示され、ユーザが当該ページを閲覧している状態にあるとする。
【０１１１】
まず、入力部４０が拡大操作２を受け付け（ステップ１：以下、Ｓ１のように略記する）、拡大操作２が行われた入力面上における２次元の座標情報６を、入力制御部５０に出力する。入力制御部５０は、入力部４０の入力面に対するユーザからの上記操作に基づいて操作情報５を生成し（Ｓ２）、生成した操作情報５を制御部１１へ出力する。
【０１１２】
拡大部１６は、操作情報５で指定される拡大率８（現状の拡大率８と操作情報５で指定される拡大率で、次の拡大率８を決定して更新される拡大率８）および拡大原点に基づいて、ユーザが閲覧中のページの所定の部分に対応するコンテンツデータ４を表示制御部６０に出力することにより、当該閲覧中のページを拡大する（Ｓ３）。表示制御部６０がこのコンテンツデータ４を表示用データ７に変換して表示部７０に出力することにより、ユーザが閲覧中のページの所定の部分を表示する（Ｓ４）。
【０１１３】
次に、制御部１１は、入力制御部５０からめくり操作１に対応する操作情報５を待ち受ける（Ｓ５）。制御部１１がめくり操作１を検知すると（Ｓ５においてＹＥＳ）、縮小部１５は、横持ち時であるか否かを判定する（Ｓ６）。横持ち時でないと判定される場合（Ｓ６においてＮＯ）、縮小部１５は当該ページの全体に対応するコンテンツデータ４を表示制御部６０に出力することで、上記と同様に、当該ページの全体が表示される（Ｓ７）。なお、当該ページが横フィット状態で表示されていると判定される場合は（Ｓ６においてＹＥＳ）、縮小部１５はＳ７の処理を行わずにＳ８の処理を行う。
【０１１４】
次に、縮小部１５は、ページめくりに連動する所定の視覚的なエフェクトを表示する（Ｓ８）。図８のＳ８では、例えば図２（ｄ）に例示される「めくりエフェクト」を、縮小部１５が表示するとしている。縮小部１５は、次ページの全体に対応するコンテンツデータ４を表示制御部６０に出力することで、上記と同様に、当該ページの全体が表示される（Ｓ９、縮小ステップ）。そして、縮小部１５は、ユーザが閲覧していたページ（めくり操作１を行う前に表示していたページ）の拡大率８を、拡大部１６へ出力する。
【０１１５】
拡大部１６は、所定の計算に基づいて拡大原点の座標を計算する（Ｓ１０）。そして、縮小部１５から入力された拡大率８に基づき、上記の拡大原点を中心にして次ページの所定の部分に対応するコンテンツデータ４を表示制御部６０に出力することより、上記と同様に、当該ページが拡大表示される（Ｓ１１、拡大ステップ）。
【０１１６】
〔表示装置１００により奏される効果〕
表示装置１００は、拡大表示に伴う操作をユーザに省略させることができ、ユーザの利便性を向上させることができるという効果を奏する。言い換えれば、電子書籍のページをめくるごとに所定の部分を拡大させる操作を、ユーザに省略させることができるという効果を奏する。
【０１１７】
また、上記所定の部分を拡大表示する前に、一度上記ページの全体を表示することにより、当該ページが自動的に拡大して表示されていること、および当該ページ全体と拡大部分との関係を、ユーザに明確に把握させることができるという効果を奏する。
【０１１８】
〔各実施の形態に含まれる構成（技術的手段）の組み合わせについて〕
上述した実施の形態に含まれる構成は、適宜組み合わせられることに注意する。すなわち、上記の実施の形態で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１１９】
さらに換言すれば、本発明は上述した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【０１２０】
〔ソフトウェアによる実現例〕
最後に、表示装置１００（特に制御部１１）の各ブロックは、集積回路（ＩＣチップ）上に形成された論理回路によってハードウェア的に実現してもよいし、ＣＰＵ（Central Processing Unit）を用いてソフトウェア的に実現してもよい。
【０１２１】
後者の場合、表示装置１００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである表示装置１００の制御プログラムのプログラムコード（実行形式プログラム、中間コードプログラム、ソースプログラム）をコンピュータで読み取り可能に記録した記録媒体を、表示装置１００に供給し、そのコンピュータ（またはＣＰＵやＭＰＵ）が記録媒体に記録されているプログラムコードを読み出し実行することによっても、達成可能である。
【０１２２】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１２３】
また、表示装置１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１２４】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１２５】
本発明は、電子書籍リーダ、タブレット端末、携帯電話、スマートフォン、その他タッチパネルを備えた表示画面を有する装置に適用できる。
【符号の説明】
【０１２６】
１    めくり操作（ページをめくる操作）
８    拡大率
１５    縮小部（縮小手段、切替手段）
１６    拡大部（拡大手段）
７０    表示部
１００    表示装置
【図１】
0005815392.tif 000007
【図２】
0005815392.tif 000008
【図３】
0005815392.tif 000009
【図４】
0005815392.tif 000010
【図５】
0005815392.tif 000011
【図６】
0005815392.tif 000012
【図７】
0005815392.tif 000013
【図８】
0005815392.tif 000014